(57)【要約】【課題】本発明は、結露による筆先の乾燥を安定的に防止でき液状物塗布具自体の本来の機能を長期にわたって維持することができるようにした筆を有する液状物塗布具を提供するものである。【解決手段】本発明の筆を有する液状物塗布具は、化粧に用いる液状物を収納した液状物塗布容器本体３と、液状物塗布容器本体から突設され液状物を含浸して目的箇所へ液状物を塗布する筆２と、液状物塗布容器本体に対して筆の外側領域を覆う態様で着脱可能に配置したアウターキャップ３１と、このアウターキャップ内に内装され内周面を筆の筆先２ａに近接させるインナーキャップ４１との二重構造からなるキャップ体２１とを備える筆を有する液状物塗布具１であって、アウターキャップの内壁、又はインナーキャップの外壁若しくは内壁で、筆における筆先の周辺領域を囲む状態にアウターキャップの内側の温度、又はインナーキャップの内側の温度を均一化する高熱伝導率材２０を配置した構成としたものである。【選択図】図１
2019051235.tif 000002
【特許請求の範囲】
【請求項１】
化粧に用いる液状物を収納した液状物塗布容器本体と、
前記液状物塗布容器本体から突設され、前記液状物を含浸して目的箇所へ液状物を塗布する筆と、
前記液状物塗布容器本体に対して前記筆の外側領域を覆う態様で着脱可能に配置したキャップ体と、
を備える筆を有する液状物塗布具であって、
前記キャップ体の内側で前記筆における筆先の周辺領域を囲む状態に前記キャップ体内側の温度を均一化する高熱伝導率材を配置したことを特徴とする筆を有する液状物塗布具。
【請求項２】
化粧に用いる液状物を収納した液状物塗布容器本体と、
前記液状物塗布容器本体から突設され前記液状物を含浸して目的箇所へ液状物を塗布する筆と、
前記液状物塗布容器本体に対して前記筆の外側領域を覆う態様で着脱可能に配置したアウターキャップと、このアウターキャップ内に内装され内周面を前記筆の筆先に近接させるインナーキャップとの二重構造からなるキャップ体と、
を備える筆を有する液状物塗布具であって、
前記アウターキャップの内壁、又は、前記インナーキャップの外壁若しくは内壁で、前記筆における筆先の周辺領域を囲む状態に前記アウターキャップの内側の温度、又は前記インナーキャップの内側の温度を均一化する高熱伝導率材を配置したことを特徴とする筆を有する液状物塗布具。
【請求項３】
前記高熱伝導率材は、前記アウターキャップの内壁に配置され、筒状である請求項２記載の筆を有する液状物塗布具。
【請求項４】
前記高熱伝導率材は、前記アウターキャップの内壁のインナーキャップ基端部領域まで配置され、筒状である請求項２記載の筆を有する液状物塗布具。
【請求項５】
前記高熱伝導率材は、前記アウターキャップの内壁及びアウターキャップ先端側内壁に配置され、筒状で先端側が閉塞したものである請求項２記載の筆を有する液状物塗布具。
【請求項６】
前記高熱伝導率材は、前記アウターキャップの内壁のインナーキャップ基端部に至る領域及びアウターキャップの先端側内壁に配置され、筒状で先端側が閉塞したものである請求項２記載の筆を有する液状物塗布具。
【請求項７】
前記高熱伝導率材は、前記アウターキャップの内壁の一部及びアウターキャップの先端側内壁に配置され、筒状で先端側が閉塞したものである請求項２記載の筆を有する液状物塗布具。
【請求項８】
前記高熱伝導率材は、前記インナーキャップの前記筆近傍の内壁及び区画片全体に配置され、筒状で区画片側が閉塞したものである請求項２記載の筆を有する液状物塗布具。
【請求項９】
前記高熱伝導率材は、前記インナーキャップの前記筆近傍の外壁領域に配置され、筒状である請求項２記載の筆を有する液状物塗布具。
【請求項１０】
前記高熱伝導率材は、前記インナーキャップのテーパー状を呈する外壁及び先端側端面に配置され、筒状である請求項２記載の筆を有する液状物塗布具。
【請求項１１】
前記高熱伝導率材は、前記アウターキャップの内壁に配置され、間隔を有しつつ環状パターンを３連設したものである請求項２記載の筆を有する液状物塗布具。
【請求項１２】
前記高熱伝導率材は、前記アウターキャップの内壁に配置され、間隔を有しつつ環状パターンを５連設したものである請求項２記載の筆を有する液状物塗布具。
【請求項１３】
前記高熱伝導率材は、前記インナーキャップの外壁及びインナーキャップの先端側端面に配置され、コイルスプリングパターン状である請求項２記載の筆を有する液状物塗布具。
【請求項１４】
前記高熱伝導率材は、前記キャップ体のアウターキャップ又はインナーキャップの内壁の面積に対して１／４以上の面積をカバーする面積サイズを有することを特徴とする請求項１乃至１３のいずれか１項に記載の筆を有する液状物塗布具。
【請求項１５】
化粧に用いる液状物を収納した液状物塗布容器本体と、
前記液状物塗布容器本体から突設され前記液状物を含浸して目的箇所へ液状物を塗布する筆と、
前記液状物塗布容器本体に対して前記筆の外側領域を覆う態様で着脱可能に配置した単一構造のアウターキャップからなるキャップ体と、
を備える筆を有する液状物塗布具であって、
前記アウターキャップの内側で前記筆における筆先の周辺領域を囲む状態に前記アウターキャップ内側の温度を均一化する高熱伝導率材を配置したことを特徴とする筆を有する液状物塗布具。
【請求項１６】
前記高熱伝導率材は、前記アウターキャップの内壁に配置され、筒状である請求項１５記載の筆を有する液状物塗布具。
【請求項１７】
前記高熱伝導率材は、前記アウターキャップの内壁及びアウターキャップの先端側内壁に配置され、筒状で、かつ、先端側が閉塞したものである請求項１５記載の筆を有する液状物塗布具。
【請求項１８】
前記高熱伝導率材は、前記アウターキャップの内壁に配置され、間隔を有しつつ環状パターンを５連設したものである請求項１５記載の筆を有する液状物塗布具。
【請求項１９】
前記高熱伝導率材は、前記キャップ体のアウターキャップの内壁の面積に対して１／４以上の面積をカバーする面積サイズを有することを特徴とする請求項１５乃至１８のいずれか１項に記載の筆を有する液状物塗布具。
【発明の詳細な説明】
【技術分野】
【０００１】
本発明は、結露による筆先の乾燥を安定的に防止でき液状物塗布具自体の本来の機能を長期にわたって維持することができるようにした筆を有する液状物塗布具に関するものである。
【背景技術】
【０００２】
従来においては、毛筆、フェルト等の筆を有する液状物塗布具の場合、バルク供給が直液式であるか又は中綿式であるかを問うことなく、筆を覆うキャップ等の気密に不具合が無くても筆における筆先の乾燥により筆記不具合が発生することがある。
【０００３】
筆先が乾燥する要因の一つとして、キャップ内の結露により筆先が乾燥してしまう例を挙げることができる。
【０００４】
更に詳述すると、液状物を充填した液状物容器、液状物塗布具との使い分けはで筆を有し、かつ、キャップを有する構造としたものは、キャップ内は筆先等より蒸発した成分で満たされている状態になっている。
【０００５】
この際にキャップ内の蒸発成分濃度は容器の置かれた環境温度で変化する。
【０００６】
すなわち、蒸発成分が容器内壁との温度差で結露となり、水滴となることで少なくなった体積分に応じて新たに筆先から成分が蒸発することになる。
【０００７】
この現象の繰り返しにより、筆先からの蒸発成分が減少し続けて、筆先の顔料濃度増加や、樹脂成分増加により筆記ができないという不都合な状態に至る。
【０００８】
また、逆に結露した水分が蒸発し筆先に付着すると筆先にあるバルクが薄められ筆先の顔料濃度低下を起こす危険もある。
【０００９】
このような状況は、キャップ内の温度とキャップ外壁との温度差に基づくもので、後記各特許文献にように従来種々の方策、例えば、キャップ内に結露を吸収する部品を入れる等々の検討がされているが、様々な温度環境に対応するのは厳しい状況にある。
【００１０】
本出願人は、従来の上記状況を解決するために、更に鋭意研究、実験、検討を重ね、キャップの内壁外壁の温度差だけでなくキャップ内側全面の温度を均一にする必要があることを見出した。
【００１１】
すなわち、キャップ内側全面の温度が不均一になるとキャップ外壁と内壁の温度差の大きな部分で温度差が数度でも結露が発生する場合もある。
【００１２】
通常、キャップの内壁やインナーキャップ部品は、容器との気密を維持するために樹脂を使用しているが、通常使用されている樹脂はその特性として熱伝導率が悪く、外部の温度変化に対し、キャップ内壁の温度を均一にする事は難しくなり、特に急激な温度変化への対応は非常に難しい状況にある。
【先行技術文献】
【特許文献】
【００１３】
【特許文献１】特開２０１７−０７４９５０号公報
【特許文献２】特開２００７−００７１４６号公報
【特許文献３】特開平１１−０５６４５４号公報
【発明の概要】
【発明が解決しようとする課題】
【００１４】
本発明は、従来の上記事情に鑑み開発されたものであり、結露による筆先の乾燥を安定的に防止でき液状物塗布具自体の本来の機能を長期にわたって維持することが可能な筆を有する液状物塗布具を提供するものである。
【課題を解決するための手段】
【００１５】
本発明の筆を有する液状物塗布具は、化粧に用いる液状物を収納した液状物塗布容器本体と、前記液状物塗布容器本体から突設され、前記液状物を含浸して目的箇所へ液状物を塗布する筆と、前記液状物塗布容器本体に対して前記筆の外側領域を覆う態様で着脱可能に配置したキャップ体と、を備える筆を有する液状物塗布具であって、前記キャップ体の内側で前記筆における筆先の周辺領域を囲む状態に前記キャップ体内側の温度を均一化する高熱伝導率材を配置したことを最も主要な特徴とする。
【発明の効果】
【００１６】
請求項１記載の発明によれば、高熱伝導率材の配置によりキャップ体内の結露による筆先の乾燥を安定的に防止でき液状物塗布具自体の本来の機能を長期にわたって維持することが可能な筆を有する液状物塗布具を実現し提供することができる。
【００１７】
請求項２乃至１４記載の発明によれば、高熱伝導率材の配置により、アウターキャップ、インナーキャップからなる二重構造を有するキャップ体内の結露による筆先の乾燥を安定的に防止でき液状物塗布具自体の本来の機能を長期にわたって維持することが可能な筆を有する液状物塗布具を実現し提供することができる。
【００１８】
請求項１５乃至１９記載の発明によれば、高熱伝導率材の配置により、アウターキャップからなる単一構造を有するキャップ体内の結露による筆先の乾燥を安定的に防止でき液状物塗布具自体の本来の機能を長期にわたって維持することが可能な筆を有する液状物塗布具を実現し提供することができる。
【図面の簡単な説明】
【００１９】
【図１】図１は本発明の実施例１に係る筆を有し、インナーキャップ有りの構成とした液状物塗布具の全体構成を示す概略断面図である。
【図２】図２は本実施例１に係る筆を有する液状物塗布具におけるアウターキャップ内壁に配置した高熱伝導率材を示す概略部分拡大断面図である。
【図３】図３は本実施例１に係る筆を有する液状物塗布具におけるアウターキャップ内壁に配置した高熱伝導率材を示す概略部分断面図である。
【図４】図４は本実施例１に係る筆を有する液状物塗布具におけるアウターキャップ内壁のインナーキャップ基端部領域まで配置した高熱伝導率材を示す概略部分断面図である。
【図５】図５は本実施例１に係る筆を有する液状物塗布具におけるアウターキャップ内壁及びアウターキャップの先端側内壁に配置した高熱伝導率材を示す概略部分断面図である。
【図６】図６は本実施例１に係る筆を有する液状物塗布具におけるアウターキャップ内壁のインナーキャップ基端部領域及びアウターキャップ先端側内壁に配置した高熱伝導率材を示す概略部分断面図である。
【図７】図７は本実施例１に係る筆を有する液状物塗布具におけるアウターキャップ内壁の一部及びアウターキャップ先端側内壁に配置した高熱伝導率材を示す概略部分断面図である。
【図８】図８は本実施例１に係る筆を有する液状物塗布具におけるインナーキャップ内壁に配置した高熱伝導率材を示す概略部分断面図である。
【図９】図９は本実施例１に係る筆を有する液状物塗布具におけるインナーキャップの外壁の一部に配置した高熱伝導率材を示す概略部分断面図である。
【図１０】図１０は本実施例１に係る筆を有する液状物塗布具におけるインナーキャップのテーパー状を呈する外壁及び先端側端面に配置した高熱伝導率材を示す概略部分断面図である。
【図１１】図１１は本実施例１に係る筆を有する液状物塗布具におけるアウターキャップ内壁に配置した３連の環状高熱伝導率材パターンを示す概略部分断面図である。
【図１２】図１２は本実施例１に係る筆を有する液状物塗布具におけるアウターキャップ内壁に配置した５連の環状高熱伝導率材パターンを示す概略部分断面図である。
【図１３】図１３は本実施例１に係る筆を有する液状物塗布具におけるインナーキャップの外壁及びインナーキャップの先端側端面に配置したコイルスプリングパターン状の高熱伝導率材を示す概略部分断面図である。
【図１４】図１４は本発明の実施例２に係る筆を有し単一のアウターキャップ構成とした液状物塗布具におけるキャップを示す概略正面図である。
【図１５】図１５は本実施例２に係る筆を有し単一のアウターキャップ構成とした液状物塗布具におけるアウターキャップ内壁に配置した高熱伝導率材を示す概略部分断面図である。
【図１６】図１６は本実施例２に係る筆を有し単一のアウターキャップ構成とした液状物塗布具におけるアウターキャップ内壁及びアウターキャップの先端側内壁に配置した高熱伝導率材を示す概略部分断面図である。
【図１７】図１７は本実施例２に係る筆を有し単一のアウターキャップ構成とした液状物塗布具におけるアウターキャップ内壁に配置した５連の環状高熱伝導率材パターンを示す概略部分断面図である。
【発明を実施するための形態】
【００２０】
本発明は、結露による筆先の乾燥を安定的に防止でき液状物塗布具自体の本来の機能を長期にわたって維持することが可能な筆を有する液状物塗布具を実現し提供するという目的を、化粧に用いる液状物を収納した液状物塗布容器本体と、前記液状物塗布容器本体から突設され前記液状物を含浸して目的箇所へ液状物を塗布する筆と、前記液状物塗布容器本体に対して前記筆の外側領域を覆う態様で着脱可能に配置したアウターキャップと、このアウターキャップ内に内装され内周面を前記筆の筆先に近接させるインナーキャップとの二重構造からなるキャップ体と、を備える筆を有する液状物塗布具であって、前記アウターキャップの内壁、又は、前記インナーキャップの外壁若しくは内壁で、前記筆における筆先の周辺領域を囲む状態に前記アウターキャップの内側の温度、又は、前記インナーキャップの内側の温度を均一化する高熱伝導率材を配置した構成により実現した。
【実施例】
【００２１】
以下、図面を参照して本発明の実施例に係る筆を有する液状物塗布具について詳細に説明する。
【００２２】
（実施例１）
本実施例１に係る筆２を有する液状物塗布具１は、液状物塗布容器本体３に対して着脱可能な二重構造のキャップ体２１を構成するアウターキャップ３１の内壁や、アウターキャップ３１とこのアウターキャップ３１内に内装したインナーキャップ４１（インナーキャップ４１の外壁）との間、更にはインナーキャップ４１の内壁に熱伝導率の大きい金属箔等の高熱伝導率材２０を配置して、キャップ体２１内における筆２の筆先周辺領域の温度を均一化し筆先２ａの乾燥防止を実現することを主要な特徴とするものである。
【００２３】
以下、本実施例１に係る筆２を有する液状物塗布具１について詳述する。
【００２４】
なお、本実施例１においては、先端側、後端側を図１に示すように定義して以下の説明を行う。
【００２５】
本実施例１に係る筆２を有する液状物塗布具１は、図１に示すように、円筒状で、かつ、ペン型状に形成した液状物塗布容器本体３と、前記液状物塗布容器本体３の先端側に気密性をもって着脱可能に装着される円筒状で、かつ、先端部を閉塞した図２に拡大して示すキャップ体２１を有し、全体としてキャップ付きペンのような形態としている。
【００２６】
前記液状物塗布容器本体３は、図１に概略的に示すように、所定の長さを有する円筒部４と、この円筒部４内において、後端側から先端側に順に、尾栓部５、液状化粧料を収納したタンク部６、タンク部６に収納した液状化粧料を含浸させる中継芯７を保持する中継芯保持スリーブ８、前記中継芯７の周りに配置する蛇腹部１１、前記筆２をその筆先２ａが前記キャップ体２１の内部に臨ませる状態となるように保持するとともに、前記中継芯７を経て液状化粧料が筆先２ａに含浸されるように配置したノーズピース９を配置している。
【００２７】
なお、図１において、符号１０はステンレス製の球である。
【００２８】
前記キャップ体２１は、図２に拡大して示すように、先端側が閉塞した円筒状のアウターキャップ３１と、このアウターキャップ３１内に内装した例えば鼓型形状に、すなわち、長さ方向の略中央部が小径となる形態を呈する中絞り円筒状のインナーキャップ４１との二重構造としている。
【００２９】
なお、図２において３２は、インナーキャップ４１の基端部領域（ノーズピース９との接合領域でノーズピース９より下側の位置）に設けた液状物塗布容器本体３との気密シール部である。
【００３０】
次に、図２乃至図１３を参照して、本実施例１に係る筆２を有する液状物塗布具１における前記高熱伝導率材２０のキャップ体２１内の配置態様について個別に説明する。
【００３１】
図２、図３は、円筒形状の高熱伝導率材２０をキャップ体２１内において、前記アウターキャップ３１の内壁に配置（例えば固定配置：以下同様）した例を示すものである。
【００３２】
図４は、円筒形状で図３に示す場合よりも長さ寸法の大きい高熱伝導率材２０を、前記キャップ体２１内において、前記アウターキャップ３１の内壁のインナーキャップ４１の基端部領域に至るまで配置した例を示すものである。
【００３３】
図５は、前記アウターキャップ３１の内壁及び先端側内壁に、円筒形状で先端側が閉塞した高熱伝導率材２０を配置した例を示すものである。
【００３４】
図６は、前記アウターキャップ３１の内壁及び先端側内壁に、インナーキャップ４１の基端部領域に至るサイズの円筒形状で先端側が閉塞した高熱伝導率材２０を配置した例を示すものである。
【００３５】
図７は、前記アウターキャップ３１の内壁の一部及び先端側内壁に、円筒形状で先端側が閉塞した高熱伝導率材２０を配置した例を示すものである。
【００３６】
図８は、前記インナーキャップ４１の前記ノーズピース９側の略円筒テーパー形状に形成した内壁及び区画片４１ａの内壁に、略円筒テーパー形状で先端側が閉塞した高熱伝導率材２０を配置した例を示すものである。
【００３７】
図９は、前記インナーキャップ４１の前記ノーズピース９側のテーパー形状を呈する外壁の一部に円筒テーパー形状の高熱伝導率材２０を配置した例を示すものである。
【００３８】
図１０は、前記インナーキャップ４１のテーパー形状を呈する領域の外壁全体にわたって高熱伝導率材２０を配置した例を示すものである。
【００３９】
なお、図１０においては、前記インナーキャップ４１のテーパー形状を呈する領域の外壁全体に加えて、インナーキャップ４１の先端側端面にも高熱伝導率材２０を配置した例を示している。
【００４０】
図１１は、前記アウターキャップ３１の内壁に、間隔を有しつつ環状パターンを３連設した高熱伝導率材２０を配置した例を示すものである。
【００４１】
図１２は、前記アウターキャップ３１の内壁に、間隔を有しつつ環状パターンを５連設した高熱伝導率材２０を配置した例を示すものである。
【００４２】
図１３は、前記インナーキャップ４１の外壁かインナーキャップ４１の先端側端面にわたって、コイルスプリングパターン状の高熱伝導率材２０を配置した例を示すものである。
【００４３】
上述した各高熱伝導率材２０を構成する例えば金属箔については、前記アウターキャップ３１又はインナーキャップ４１の形状に影響がない程度の薄い箔を本実施例では用いている。
【００４４】
また、金属箔の材質としては、銅、黄銅、アルミ、鉄、ＳＵＳ、亜鉛、真鍮、熱伝導率の高い金属等の各種素材からなるものが利用可能である。
【００４５】
更に、金属箔だけではなく、熱伝導率を改善したプラスチック樹脂や内壁部分への金属膜等の蒸着処理、金属材転写、金属含有塗料の塗布等の手段を利用することも可能である。
【００４６】
上述した図２乃至図１３に示す各態様の高熱伝導率材２０は、各々前記キャップ体２１のアウターキャップ３１内壁又はインナーキャップ４１の外壁若しくは内壁の面積に対して１／４以上の面積をカバーする面積サイズを有するように構成することによって、本実施例１に係る筆２を有する液状物塗布具１によれば、前記キャップ体２１の内部の温度を均一にすることができ、キャップ体２１の結露防止を図り、液状物塗布具１自体の本来の機能を長期にわたって維持することが可能となる。
【００４７】
（実施例２）
次に実施例２に係るキャップ体２１Ａに対する高熱伝導率材２０の配置態様について図１４乃至図１７を参照して説明する。
【００４８】
なお、本実施例２においては、筆２を備える液状物塗布容器本体３は実施例１の場合と同様のものを使用することから図示省略する。
【００４９】
図１４は、本実施例２におけるキャップ体２１Ａを示すものであり、このキャップ体２１Ａは実施例１の場合と異なり、気密シール部３２は有するがインナーキャップ４１の無いアウターキャップ３１の単一構造としたものである。
【００５０】
図１５は、前記アウターキャップ３１の内壁で同図には図示しないが前記筆２における筆先２ａの周辺領域を囲む状態に円筒状の高熱伝導率材２０を配置した例を示すものである。
【００５１】
図１６は、前記アウターキャップ３１の内壁及び先端側の内壁に、同図には図示しないが前記筆２における筆先２ａの周辺領域を囲む状態に円筒状で先端側が閉塞した高熱伝導率材２０を配置した例を示すものである。
【００５２】
図１７は、前記アウターキャップ３１の内壁に図１２に示す場合と同様な環状パターンを、間隔を有しつつ５連設した高熱伝導率材２０を配置した例を示すものである。
【００５３】
本実施例２における前記各高熱伝導率材２０を構成する例えば金属箔の材質や厚さの構成や、金属箔だけではなく、熱伝導率を改善したプラスチック樹脂や内壁部分への金属膜等の蒸着処理、金属材転写、金属含有塗料の塗布等の手段を利用することも可能であることについては実施例１の場合と同様である。
【００５４】
上述した図１５乃至図１７に示す各態様の高熱伝導率材２０を、各々前記キャップ体２１Ａのアウターキャップ３１内壁の面積に対して１／４以上の面積をカバーする面積サイズを有するように構成することによって、本実施例２に係る筆２を有する液状物塗布具１によれば、前記キャップ体２１Ａの内部の温度を均一にすることができ、キャップ体２１Ａの結露防止を図り、実施例１の場合と同様、液状物塗布具１自体の本来の機能を長期にわたって維持することが可能となる。
【産業上の利用可能性】
【００５５】
本発明は、上述した場合に限らず、筆を備えキャップを用いる各種化粧料塗布具におけるキャップ内の結露防止技術として新規の化粧料塗布具又は既存の化粧料塗布具に関して広範に適用可能である。
【符号の説明】
【００５６】
１    液状物塗布具
２    筆
２ａ  筆先
３    液状物塗布容器本体
４    円筒部
５    尾栓部
６    タンク部
７    中継芯
８    中継芯保持スリーブ
９    ノーズピース
１０    球
１１    蛇腹部
２０    高熱伝導率材
２１    キャップ体
２１Ａ  キャップ体
３１    アウターキャップ
４１    インナーキャップ
４１ａ  区画片
３２    気密シール部
【図１】
2019051235.tif 000003
【図２】
2019051235.tif 000004
【図３】
2019051235.tif 000005
【図４】
2019051235.tif 000006
【図５】
2019051235.tif 000007
【図６】
2019051235.tif 000008
【図７】
2019051235.tif 000009
【図８】
2019051235.tif 000010
【図９】
2019051235.tif 000011
【図１０】
2019051235.tif 000012
【図１１】
2019051235.tif 000013
【図１２】
2019051235.tif 000014
【図１３】
2019051235.tif 000015
【図１４】
2019051235.tif 000016
【図１５】
2019051235.tif 000017
【図１６】
2019051235.tif 000018
【図１７】
2019051235.tif 000019